(57)【要約】      （修正有）【課題】収納容器の立体形状が確実に維持される収納容器を提供する。【解決手段】６面体で形成され、ティッシュペーパーを収納可能な箱収納容器であって、６面体の面のうち筒状に連続する４つの面を形成する板部１１〜１４に囲まれてティッシュペーパーを詰め替え可能な詰め替え開口２１、２２、及び、ティッシュペーパーが収納された状態でティッシュペーパーを取出し可能な取出し開口２３を有する箱収納容器本体と、詰め替え開口２１、２２の辺部２１ａ、２２ａに取り付けられ、辺部２１ａ、２２ａを中心に回動して詰め替え開口２１、２２の内部に移動自在な開閉蓋体１５、１５と、を備える構成とした。【選択図】図１
0003160076.tif 000002
【実用新案登録請求の範囲】
【請求項１】
６面体で形成され、ティッシュペーパーを収納可能な収納容器であって、
６面体の面のうち筒状に連続する４つの面を形成する４つの板部に囲まれてティッシュペーパーを詰め替え可能な詰め替え開口、及び、ティッシュペーパーが収納された状態でティッシュペーパーを取出し可能な取出し開口を有する収納容器本体と、
前記詰め替え開口の辺部に取り付けられ、前記辺部を中心に回動して前記詰め替え開口の内部に移動自在な開閉蓋体と、を備え、
前記収納容器本体を２つの板部ずつ平板状に折ることで折り畳まれ、前記収納容器本体を４つの板部が互いに直角となる方向に広げると共に前記開閉蓋体を前記詰め替え開口に押し込むことで立体形状に広げられることを特徴とする収納容器。
【請求項２】
前記開閉蓋体は、前記詰め替え開口を閉じて前記６面体の面を形成する位置から前記辺部を中心に前記４つの板部のいずれか１つの裏面と接触する位置まで揺動可能であることを特徴とする請求項１に記載の収納容器。
【請求項３】
前記開閉蓋体は、前記詰め替え開口を閉じて前記６面体の面を形成する位置から前記辺部を中心に前記４つの板部のいずれか１つの表面と接触する位置まで揺動可能であることを特徴とする請求項１又は請求項２に記載の収納容器。
【考案の詳細な説明】
【技術分野】
【０００１】
本考案は、ティッシュペーパー、又は、ティッシュペーパー収納箱を収納する収納容器に関する。
【背景技術】
【０００２】
従来、ティッシュペーパーを収納する収納容器として、種々の収納容器が考案されている。こうした収納容器に関する考案として、特許文献１に記載の考案が開示されている。特許文献１の考案では、上面及び下面に、１つずつのティッシュペーパーの取出し開口が形成されると共に、側面に、ティッシュペーパー収納箱を詰め替え自在な詰め替え開口が形成されている。例えば、特許文献１（特に図３）に示されるように、収納容器の中に、互いに取出し開口が外向きに配置された２つのティッシュペーパー収納箱が収納される。そして、ユーザは、上面の取出し開口から使用前のティッシュペーパーを取り出すと共に、下面の取出し開口へと使用済みのティッシュペーパーを捨てられるようになっている。
【先行技術文献】
【特許文献】
【０００３】
【特許文献１】特開２００２−３０２１７１号公報
【考案の概要】
【考案が解決しようとする課題】
【０００４】
しかしながら、特許文献１に記載の収納容器では、収納容器本体は、詰め替え開口を閉じる手段を有していない。したがって、シート収納箱の高さが収納容器の高さよりも小さい場合に、収納容器が側面視で平行四辺形状に傾斜する虞があり、収納容器の形状の安定性が悪い。
【０００５】
また、収納容器に収納されるのがティッシュペーパーのみの場合には、収納容器に収納されるティッシュペーパーの高さが収納容器の高さに比較して小さいと、尚更、収納容器が側面視で平行四辺形状に傾斜する虞があり、収納容器の形状の安定性が悪い。
【０００６】
本考案は、上記実情に鑑み、収納容器の立体形状が確実に維持される収納容器を提供することを課題とする。
【課題を解決するための手段】
【０００７】
上記課題を解決するために、本考案の収納容器は、６面体で形成され、ティッシュペーパーを収納可能な収納容器であって、６面体の面のうち筒状に連続する４つの面を形成する４つの板部に囲まれてティッシュペーパーを詰め替え可能な詰め替え開口、及び、ティッシュペーパーが収納された状態でティッシュペーパーを取出し可能な取出し開口を有する収納容器本体と、前記詰め替え開口の辺部に取り付けられ、前記辺部を中心に回動して前記詰め替え開口の内部に移動自在な開閉蓋体と、を備え、前記収納容器本体を２つの板部ずつ平板状に折ることで折り畳まれ、前記収納容器本体を４つの板部が互いに直角となる方向に広げると共に前記開閉蓋体を前記詰め替え開口に押し込むことで立体形状に広げられることを特徴とする。
【考案の効果】
【０００８】
本考案によれば、開閉蓋体が詰め替え開口の内部へと入れられて詰め替え開口を閉じる。そうすると、開閉蓋体が詰め替え開口を支える。その結果、収納容器の立体形状が維持される。
【図面の簡単な説明】
【０００９】
【図１】本考案の実施例に係る箱収納容器の構成を示す斜視図である。
【図２】箱収納容器本体の内部で、開閉蓋体の動作を示す断面図等である。
【図３】開閉蓋体の構成を示す平面図等である。
【図４】箱収納容器本体を構成する化粧紙の形状を示す平面図等である。
【図５】箱収納容器の分解斜視図である。
【図６】ティッシュペーパー収納箱が箱収納容器本体に挿入される様子を示す斜視図等である。
【考案を実施するための形態】
【００１０】
以下、図面を参照して、この考案を実施するための形態を実施例に基づいて例示的に詳しく説明する。ただし、この実施例に記載されている構成部品の寸法、材質、形状、その相対位置等は、考案が適用される装置の構成や各種条件により適宜変更されるから、特に特定的な記載が無い限りは、考案の範囲をそれらのみに限定する趣旨のものではない。
【実施例】
【００１１】
図１（ａ）は、本考案の実施例１に係る箱収納容器１０の構成を示す斜視図である。図１（ａ）に示されるように、『収納容器』である箱収納容器１０は、６面体で形成され、ティッシュペーパー１０１（図６（ｂ）参照）が収納されたティッシュペーパー収納箱１００（図６（ａ）参照）を収納可能な容器である。箱収納容器１０は、『収納容器本体』である箱収納容器本体１０Ａ、及び、この箱収納容器本体１０Ａに取り付けられる２つの開閉蓋体１５、１５を備えている。
【００１２】
図１（ｂ）は、箱収納容器本体１０Ａから２つの開閉蓋体１５、１５が開かれている状態を示す斜視図である。図１（ｂ）に示されるように、箱収納容器本体１０Ａは、６面体の面のうち筒状に連続する４つの面を形成する『４つの板部』である板部１１〜１４に囲まれてティッシュペーパー１０１又はティッシュペーパー収納箱１００を詰め替え可能な詰め替え開口２１、２２を有する。また、箱収納容器本体１０Ａは、ティッシュペーパー１０１が収納された状態で、ティッシュペーパー１０１、又は、ティッシュペーパー収納箱１００に収納されたティッシュペーパー１０１を取出し可能な取出し開口２３を有する。開閉蓋体１５、１６は、詰め替え開口２１、２２の辺部２１ａ、２２ａに取り付けられ、辺部２１ａ、２２ａを中心に回動して詰め替え開口２１、２２の内部に移動自在となっている。
【００１３】
図１（ｃ）は、箱収納容器１０が折り畳まれた状態を示す斜視図である。図１（ｃ）に示されるように、箱収納容器本体１０Ａは２つの板部ずつ平板状になるように折ることで平板状に折り畳まれる。ここでは、２つの板部ずつとは、例えば、ここでは、板部１１及び板部１４の組み合わせ、及び、板部１２及び板部１３の組み合わせである。隣接し合う２つの板部１１〜１４で組み合わされればよい。なお、これと併せて、開閉蓋体１５、１５が辺部２１ａ、２２ａに沿って広げられても良いし（図１（ｃ）参照）、開閉蓋体１５、１５が辺部２１ａ、２２ａに沿って折り曲げられても良い（図２（ｄ）参照）。これとは反対に、箱収納容器本体１０Ａを板部１１〜１４が互いに直角となる方向に広げると共に（図１（ｂ）参照）、開閉蓋体１５、１５を詰め替え開口２１、２２に押し込むことで立体形状に広げられる（図１（ａ）参照）。
【００１４】
図２は、図２（ａ）、図２（ｂ）、図２（ｃ）、図２（ｄ）とからなる。図２（ａ）及び図２（ｂ）は、箱収納容器本体１０Ａの内部で、開閉蓋体１５、１５の動作を示す断面図である。図２（ａ）（ｂ）に示されるように、開閉蓋体１５、１５は、詰め替え開口２１、２２を閉じて６面体の面を形成する位置から辺部２１ａ、２２ａを中心に板部１１〜１４の『いずれか１つの裏面』である板部１１の裏面と接触する位置まで揺動可能となっている。
【００１５】
図２（ｃ）は、箱収納容器本体１０Ａの外部で、開閉蓋体１５、１５の動作を示す断面図である。図２（ｃ）に示されるように、開閉蓋体１５、１５は、詰め替え開口２１、２２を閉じて６面体の面を形成する位置から辺部２１ａ、２２ａを中心に板部１１〜１４の『いずれか１つの表面』である板部１１の表面と接触する位置まで揺動可能となっている。
【００１６】
図２（ｄ）は、箱収納容器本体１０Ａが折り畳まれた状態を示す斜視図である。図２（ｄ）に示されるように、箱収納容器本体１０Ａが畳まれると、２箇所に蓋部１５ａ及び折り曲げ片部１５ｂの裏面が表れることとなる。ユーザは、顧客に伝達する情報をこのような２箇所の蓋部１５ａ及び折り曲げ片部１５ｂの裏面に記載しても良い。この場合には、受け取った顧客は、記載内容を確認した後に箱収納容器１０を組み立てることになるが、この場合に、蓋部１５ａ及び折り曲げ片部１５ｂの裏面は、箱収納容器本体１０Ａの開口２１、２２の方を向くことになる。その結果、箱収納容器１０として使用する場合に、記載内容が外観に表れない。これらの結果、開閉蓋体１５、１５の構成によって、開閉蓋体１５、１５が情報伝達手段として用いられることができると共に、使用時には記載内容が隠されるようにすることができる。
【００１７】
図３は、図３（ａ）〜図３（ｆ）からなる。図３（ａ）は、開閉蓋体１５の構成を示す平面図であり、図３（ｂ）は、開閉蓋体１５の構成を示す裏面図である。図３（ａ）（ｂ）に示されるように、開閉蓋体１５は、蓋部１５ａ、固定部１５ｃ、折り曲げ片部１５ｂを備える。蓋部１５ａは、詰め替え開口２１、２２を閉じる部位である。また、固定部１５ｃは、板部１１の裏面及び蓋部１５ａの裏面に跨って貼付されると共に境界に第１折り曲げ線１５ｄを有し、蓋部１５ａを第１折り曲げ線１５ｄを中心に回動自在に固定する部位である。更に、折曲げ片部１５ｂは、蓋部１５ａから延びて蓋部１５ａとの境界に第２折り曲げ線１５ｅを有し、詰め替え開口２１、２２の内部に折り曲げられる部位である。そして、蓋部１５ａ、１５ａは、箱収納容器本体１０Ａと同一の厚さで形成され、固定部１５ｃ、１５ｃは、蓋部１５ａ、１５ａよりも薄い厚さで形成され、折曲げ片部１５ｂ、１５ｂは、箱収納容器本体１０Ａと同一の厚さで形成されている。
【００１８】
図３（ｃ）は、開閉蓋体１５を構成する化粧紙３４の形状を示す平面図である。図３（ｄ）は、開閉蓋体１５を構成する表面側無地紙３２の形状を示す平面図である。図３（ｅ）は、開閉蓋体１５を構成する板材３１の形状を示す平面図である。図３（ｆ）は、開閉蓋体１５を構成する裏面側無地紙３３の形状を示す平面図である。図３（ｅ）に示されるように、板材３１は、板部相当部３１ａ及び折り曲げ片部相当部３１ｂを有する。板材３１の表面側には表面側無地紙３２が貼付され、板材３１の裏面側には裏面側無地紙３３が貼付される。そうすると、板部相当部３１ａ及び折り曲げ片部相当部３１ｂが一体的に表面側無地紙３２及び裏面側無地紙３３で挟まれた状態で結合される。そして、この結合された状態で、板部相当部３１ａ及び折り曲げ片部相当部３１ｂの間の境界には第２折り曲げ線１５ｅが形成される。また、表面側無地紙３２の表面には、更に、化粧紙３４が貼付される。
【００１９】
図４は、図４（ａ）〜図４（ｃ）からなる。図４（ａ）は、箱収納容器本体１０Ａを構成する化粧紙６１の形状を示す平面図である。図４（ｂ）は、箱収納容器本体１０Ａを構成する板材６２の形状を示す平面図である。図４（ｃ）は、箱収納容器本体１０Ａを構成する裏紙６３の形状を示す平面図である。図４（ｂ）に示されるように、板材６２は、４つの板材１１ｐ、１２ｐ、１３ｐ、１４ｐを備える。これらの板材１１ｐ、１２ｐ、１３ｐ、１４ｐが、板部１１、１２、１３、１４の基となる。この板材１１ｐ〜１４ｐの裏面側には、裏紙６３が貼付される。裏紙６３は、４つの裏紙片部１１ｑ、１２ｑ、１３ｑ、１４ｑを備える。これらの裏紙片部１１ｑ、１２ｑ、１３ｑ、１４ｑが、板材１１ｐ、１２ｐ、１３ｐ、１４ｐの裏面に貼り合わせられる。板材１１ｐ〜１２ｐの表面側には、化粧紙６１が貼付される。
【００２０】
図５は、箱収納容器１０の分解斜視図である。図５に示されるように、箱収納容器本体１０Ａは、前述のように、板材１１ｐ〜１４ｐの裏面側に裏紙６３が貼付され、板材１１ｐ〜１４ｐの表面側に化粧紙６１が貼付される。一方で、板材３１の裏面側には裏面側無地紙３３が貼付され、板材３１の表面側には表面側無地紙３２が貼付され、表面側無地紙３２の表面には化粧紙３４が貼付される。そして、固定部１５ｃは、表面側無地紙３２の延設部３２ａ、及び、裏面側無地紙３３の延設部３３ａが互いに貼付されて構成される。
【００２１】
図６は、図６（ａ）〜図６（ｄ）からなる。図６（ａ）は、ティッシュペーパー収納箱１００が箱収納容器本体１０Ａに挿入される様子を示す斜視図である。図６（ｂ）は、箱収納容器１０からティッシュペーパー１０１が取り出される様子を示す斜視図である。図６（ａ）に示されるように、開閉蓋体１５が開かれて、箱収納容器１０の箱収納容器本体１０Ａには、ティッシュペーパー収納箱１００が収納されつつある。そして、図６（ｂ）に示されるように、ティッシュペーパー１０１が取出し開口２３から取出し可能となる。
【００２２】
図６（ｃ）は、開閉蓋体１５の表面側無地紙３２が黒色である例を示す斜視図である。図６（ｃ）に示されるように、開閉蓋体１５の表面側無地紙３２が黒色で、その中心に化粧紙３４が貼付される。すなわち、蓋部１５ａの表面を構成する無模様かつ黒色の表面側無地紙３２の表面には、蓋部１５ａの外縁よりも面積が小さい化粧紙３４が貼付されている。こうした構成によって、化粧紙３４の周囲が黒色で縁取られ、化粧紙３４が浮き立つこととなる。
【００２３】
図６（ｄ）は、箱収納容器１０を裏面側から見た斜視図である。図６（ｄ）に示されるように、板部１３の長手方向の両端部には、中央側に切れ込み２５が形成されている。そして、開閉蓋体１５の表面側無地紙３２が無模様かつ黒色で形成されるので、折り曲げ片部１５ｂが無模様かつ黒色で形成されている。このために、折り曲げ片部１５ｂが切れ込み２５から露出しているので、ここから開閉蓋体１５、１５を開閉できると、ユーザに注意を喚起することができる。また、折曲げ片部１５ｂの表面側無地紙３２及び箱収納容器本体１０Ａの化粧紙３４は互いに異なる色で形成されるので、ユーザに注意を喚起することできる。
【００２４】
なお、図４（ａ）に示されるように、箱収納容器本体１０Ａの底板部に相当する板材１３ｐには、「長手方向側の端部」である詰め替え開口２１、２２の側の端部７１ａ、７２ａに切れ込み７１ｂ、７２ｂが形成されている。この切れ込み７１ｂ、７２ｂの裏面側に裏紙６３が貼付され、切れ込み７１ｂ、７２ｂの表面側に化粧紙６１が貼付され、図６（ｄ）に示される切れ込み２５が形成される。
【００２５】
実施例の構成によれば、ユーザがティッシュペーパー収納箱１００を箱収納容器本体１０Ａの内部に入れて、開閉蓋体１５、１５が詰め替え開口２１、２２の内部へと移動して開閉蓋体１５、１５が詰め替え開口２１、２２を閉じる。そうなると、開閉蓋体１５、１５が詰め替え開口２１、２２を支える。その結果、箱収納容器１０の立体形状が確実に維持される。
【００２６】
開閉蓋体１５、１５が内側へと揺動可能である。その結果、箱収納容器本体１０Ａの内部にティッシュペーパー１０１が直接に収納された場合に、ティッシュペーパー１０１が箱収納容器本体１０Ａの内側へと位置決めされる（図２（ａ）参照）。
【００２７】
開閉蓋体１５、１５が外側へと揺動可能である。その結果、開閉蓋体１５、１５が板部１１の表面に接触させられた状態では、開閉蓋体１５、１５の裏面については顧客が宣伝等の情報を記載して情報伝達の手段として使用することができる（図２（ｄ）参照）。
【００２８】
固定部１５ｃ、１５ｃが板部１１〜１４の裏面及び蓋部１５ａ、１５ａの裏面に貼付され、蓋部１５ａ、１５ａが第１折り曲げ線１５ｄ、１５ｄに沿って折り曲げられ、蓋部１５ａ、１５ａが第１折り曲げ線１５ｄ、１５ｄを中心に回動して詰め替え開口２１、２２を開閉する。したがって、固定部１５ｃ、１５ｃの第１折り曲げ線１５ｄ、１５ｄがヒンジとして機能して蓋部１５ａ、１５ａが開閉する。その結果、蓋部１５ａ、１５ａ及び固定部１５ｃ、１５ｃが一体で形成されて折り曲げられる場合に比べて、第１折り曲げ線１５ｄ、１５ｄの厚みが薄く形成され、蓋部１５ａ、１５ａは円滑に回動することができる。
【００２９】
蓋部１５ａ、１５ａが箱収納容器本体１０Ａと同一の厚さで形成されて、固定部１５ｃ、１５ｃが蓋部１５ａ、１５ａよりも薄い厚さで形成される。その結果、固定部１５ｃ、１５ｃが蓋部１５ａ、１５ａの厚さで形成される場合に比べて、蓋部１５ａ、１５ａは円滑に回動することができる。
【００３０】
蓋部１５ａの表面には、蓋部１５ａの外縁よりも面積が小さい化粧紙３４が貼付されていることから、蓋部１５ａには、化粧紙３４の部位、及び、化粧紙３４の周囲を囲む周囲の部位３２ｋが形成される。その結果、化粧紙３４の部位及び周囲の部位３２ｋが一体となったデザインによって、詰め替え開口２１、２２からティッシュペーパー１０１又はティッシュペーパー収納箱１００を出し入れできるというように、顧客に注意を喚起させることができる。
【００３１】
詰め替え開口２１、２２に折曲げ片部１５ｂが挿入された場合に、折曲げ片部１５ｂが切れ込み２５から露出する。その結果、折曲げ片部１５ｂの位置を探し出せるように、顧客に注意を喚起させることができる。
【００３２】
折曲げ片部１５ｂ及び箱収納容器本体１０Ａは互いに異なる色で形成される。その結果、折曲げ片部１５ｂの位置を探し出せるように、顧客に注意を喚起させることができる。
【００３３】
なお、実施例では、箱収納容器１０にはティッシュペーパー収納箱１００が収納される例として例示したが、箱収納容器１０にティッシュペーパー１０１の束が直接に収納される場合にも同様な動作及び効果が得られる。
【符号の説明】
【００３４】
１１〜１４      板部
１５            開閉蓋体
２１、２２      詰め替え開口
２１ａ、２２ａ  辺部
２３            取出し開口
１００          箱収納容器（収納容器）
１００Ａ        箱収納容器本体（収納容器本体）
１０１          ティッシュペーパー
【図１】
0003160076.tif 000003
【図２】
0003160076.tif 000004
【図３】
0003160076.tif 000005
【図４】
0003160076.tif 000006
【図５】
0003160076.tif 000007
【図６】
0003160076.tif 000008